(57)【特許請求の範囲】
【請求項１】
チャックによって繰出される芯を、先口内に位置するスライダー（登録商標）内に挿通させるようにしたシャープペンシルにおいて、
前記スライダーは、一体的に付勢手段を有するとともに、挿通される芯を弾性的に保持する芯保持部を有し、チャックに押されることで前方へスライドし、前記付勢手段に付勢されるとともに前記付勢手段の外周面を先口内に摺接することで、チャックの後退よりも遅れて後方へスライドするように構成されていることを特徴とするシャープペンシル。
【請求項２】
上記付勢手段に付勢されてスライドする上記スライダーのスライド幅は、チャックが後退する際に若干後退する芯の後退幅と略同寸法に設定されていることを特徴とする請求項１記載のシャープペンシル。
【請求項３】
上記スライダーは、軸方向へスライド可能な筒状体に、弾性材料からなる弾性部を一体的に設けてなり、
該弾性部は、上記付勢手段と上記芯保持部とを一体に設けていることを特徴とする請求項１又は２記載のシャープペンシル。
【請求項４】
上記弾性部が、上記筒状体にインサート成形によって形成されていることを特徴とする請求項３記載のシャープペンシル。
【請求項５】
上記芯保持部は、上記スライダーの前端側に形成された第一芯保持部と、該第一芯保持部の後方側に形成された第二芯保持部とからなり、
前記第二芯保持部は、前記第一芯保持部よりも弱い摩擦力で芯に摺接するように形成されていることを特徴とする請求項１乃至４何れか１項記載のシャープペンシル。
【請求項６】
上記第二芯保持部は、断面多角形状に形成され、その平坦な内面を芯に摺接させることを特徴とする請求項５記載のシャープペンシル。
【請求項７】
上記第二芯保持部は、軸方向へ連続する突条を、周方向へ複数設けてなることを特徴とする請求項５記載のシャープペンシル。
【請求項８】
上記芯保持部は、芯の繰出方向の保持力を芯の後退方向の保持力よりも小さくするように形成されていることを特徴とする請求項１乃至７何れか１項記載のシャープペンシル。
【発明の詳細な説明】
【０００１】
【発明の属する技術分野】
本発明は、チャック機構によって芯を繰出すようにしたシャープペンシルに関するものである。
【０００２】
【従来の技術】
従来、この種のシャープペンシルは、図１２に示すように、筒状体１１１内に芯保持部１１２を嵌合してなるスライダー１１０が、その前端部を先口１３０から突出させて設けられ、チャック１２０によって繰出される芯を前記スライダー１１０に挿通させるように構成されている。
そして、この従来のシャープペンシルによれば、芯の繰出しは、チャック１２０が、芯を挟持した状態で前進し、その前進途中で開かれて同芯を放し、後退して初期時に戻る時には、その後退途中で閉じられることで同芯を再度挟持する。
したがって、前記チャック１２０が後退しながら閉じる際、芯は、チャック１２０に挟持されるとともに、若干後退することになる。
【０００３】
よって、この従来のシャープペンシルでは、チャック１２０より前方側に残芯１がある場合、チャック１２０を前進する際には、残芯１が、該チャック１２０によって繰出される後続芯２によって押されることになる（図１２（ａ）参照）。
そして、チャック１２０を後退する際には、上記したように後続芯２が若干後退するため、残芯１の後端面と後続芯２の前端面との間に、隙間ｗ１が形成されることになる（図１２（ｂ）参照）。
したがって、従来のシャープペンシルは、筆記時の筆圧によって前記隙間ｗ１だけ残芯１が後退する（図１２（ｃ）参照）という現象を生じていた。そして、この筆記時に残芯１が後退する現象により、筆記感触を損ねてしまうという問題があった。
そこで、この問題を回避するために、わざわざ残芯１を引き抜いて廃棄し、後続芯２を繰出すという残芯１の無駄な消費や操作上の煩わしさを招いていた。
【０００４】
【発明が解決しようとする課題】
本発明は上記従来事情に鑑みてなされたものであり、その目的とする処は、筆記時において残芯が後続芯との間に生ずる隙間により後退する現象を回避することで、残芯による筆記感触を向上し、ひいては残芯を無駄なく使用できるシャープペンシルを提供することにある。
【０００５】
【課題を解決するための手段】
上記課題を解決するために、第一の発明では、チャックによって繰出される芯を、先口内に位置するスライダー（登録商標）内に挿通させるようにしたシャープペンシルにおいて、前記スライダーは、一体的に付勢手段を有するとともに、挿通される芯を弾性的に保持する芯保持部を有し、チャックに押されることで前方へスライドし、前記付勢手段に付勢されるとともに前記付勢手段の外周面を先口内に摺接することで、チャックの後退よりも遅れて後方へスライドするように構成されていることを特徴とする。
【０００６】
ここで、上記スライダーとは、例えば、軸方向へスライド可能な筒状体の内部に、挿通される芯を弾性的に保持する芯保持部を一体的に設けるとともに、同筒状体の外部に付勢手段を設け、その筒状体を、チャックに押されることで前方へスライドさせ、付勢手段に付勢されるとともに該付勢手段の外周面が先口内に摺接されることで、チャックの後退よりも遅れて後方へスライドするようにした構成等である。
また、上記付勢手段とは、例えば、Ｏリング、コイルスプリング、その他の弾性部材等であり、上記スライダーに一体的に具備されている。
【０００７】
上記技術的手段によれば、チャックが前進する際、その前進するチャックに押されるスライダーは、付勢手段による付勢に抗して前方へスライドする。
そして、チャックが後退すると、スライダーは、付勢手段に付勢されることで後方へスライドする。その際、スライダーは、先口内との摺接抵抗により、チャックの後退動作よりも遅れて後方へスライドする。
したがって、スライダー内に残芯がある場合において、チャックが前進する際、残芯は、その後端面が後続芯の前端面に押圧されることで、前方へ繰出される。
また、チャックが後退する際には、後続芯がチャックによって再度挟持されるときに若干後退するため、残芯と後続芯との間に一時的に隙間が形成される。
次に、スライダーがチャックの後退動作よりも遅れて後退する。その際、スライダーは、芯保持部に保持している残芯と共に後退するため、後退した残芯の後端面が後続芯の前端面に当接する。
よって、筆記時においては、残芯と後続芯との間に隙間がないので、残芯が後退する現象を発生しない。
【０００８】
尚、仮にスライダーの後退動作をチャックの後退動作よりも遅らせないようにした場合、すなわちスライダーの後退動作とチャックの後退動作とが同時に開始されるようにした場合には、チャックが後退し始めるのと同時に残芯も後退し、その残芯の後退動作が終わった後に、チャックが後続芯を再度挟持しようとして後退させるため、残芯と後続芯との間に隙間が形成されてしまう。
【０００９】
更に、第二の発明では、上記付勢手段に付勢されてスライドする上記スライダーのスライド幅は、チャックが後退する際に若干後退する芯の後退幅と略同寸法に設定される。
【００１１】
更に、第三の発明では、上記スライダーは、軸方向へスライド可能な筒状体に、弾性材料からなる弾性部を一体的に設けてなり、該弾性部は、上記付勢手段と上記芯保持部とを一体に設けている。
【００１２】
また、第四の発明では、上記弾性部が、上記筒状体にインサート成形によって形成されているため、筒状体と弾性部との密着強度が強化される。
【００１３】
更に、第五の発明では、上記芯保持部は、上記スライダーの前端側に形成された第一芯保持部と、該第一芯保持部の後方側に形成された第二芯保持部とからなり、前記第二芯保持部は、前記第一芯保持部よりも弱い摩擦力で芯に摺接するように形成されている。
【００１４】
この技術的手段によれば、チャックに近い第二芯保持部の摩擦力が弱いため、チャックから繰出され筆記先端部へ導かれる芯の抵抗が比較的小さい。したがって、繰出される芯の抵抗によって繰出し機構の繰出し動作に支承をきたすことがなく、芯を筆記先端部へスムーズに導くことができる。
【００１５】
更に、第六の発明では、上記第二芯保持部は、断面多角形状に形成され、その平坦な内面を芯に摺接させるように構成されている。
【００１６】
また、第七の発明では、上記第二芯保持部は、軸方向へ連続する突条を、周方向へ複数設けてなる。
【００１７】
また、第八の発明では、筆圧に対抗する芯の保持を確実にするために、上記芯保持部は、芯の繰出方向の保持力を芯の後退方向の保持力よりも小さくするように形成されている。
ここで、芯の繰出方向の保持力を芯の後退方向の保持力よりも小さくするように形成とは、例えば、芯保持部を、芯の繰出方向の保持力が芯の後退方向の保持力よりも小さくなるように断面鋸刃状に形成すればよい。
【００１８】
【発明の実施の形態】
以下、本発明の実施の形態を図面に基づいて説明する。
図１及び２は、本発明に係わるシャープペンシルの一例を示す。
このシャープペンシルＡは、軸筒４０後端側のノック操等作によって芯を繰出す繰出し機構２０と、この繰出し機構２０によって繰出される芯を挿通させて先口３０の前端から突出するスライダー１０とを備えている。
【００１９】
繰出し機構２０は、芯タンク２２の前端に設けられたチャック２１と、該チャック２１の外周で軸方向へスライドすることでチャック２１に芯を挟持させるチャックリング２３と、芯タンク２２及びチャック２１を後方へ付勢するスプリング２４等が備られ、軸筒４０後端側のノック操作によりチャック２１を進退させて、芯を前方へ繰出すように構成した周知の機構である。
【００２０】
この繰出し機構２０によれば、チャック２１は、芯を挟持した状態で前進し、その前進途中にチャックリング２３から外されることで、前進しながら芯を放す。
また、同チャック２１は、後退する際、その後退途中でチャックリング２３内に嵌り合い、芯を再度挟持する。
【００２１】
したがって、チャック２１がチャックリング２３内に嵌り合う際、芯は、チャック２１が後退しながら閉じるため、若干後退させられることになる。
【００２２】
スライダー１０は、略先細筒状に形成された筒状体１１と、芯保持部１２ａ及び付勢手段１２ｂを有する弾性部１２とからなり（図３及び４参照）、先口３０内で軸方向へスライドするように装着されている。
【００２３】
筒状体１１は、黄銅等の金属材料からなり、その後端縁には、遠心方向へ突出することで、弾性部１２からの抜けを防止する突縁部１１ａが一体に形成されている。
【００２４】
弾性部１２は、インサート成形によって筒状体１１と一体的に形成され、筒状体１１を、その内周面の全面から後端側外周面にわたって覆っている。
そして、この弾性部１２は、筒状体１１の内側に、挿通される芯を弾性的に保持する芯保持部１２ａを形成し、また、筒状体１１の後端側外周には、付勢手段１２ｂを形成している。
【００２５】
芯保持部１２ａは、スライダー１０の前端側に形成された第一芯保持部１２ａ１と、該第一芯保持部１２ａ１の後方側に形成された第二芯保持部１２ａ２とからなる。
【００２６】
第一芯保持部１２ａ１は、その内径が芯の外径よりも多少小さ目に形成された環状を呈し、スライダー１０の前端側に形成されており、その内周面の全面を芯に摺接する。
【００２７】
第二芯保持部１２ａ２は、断面多角形状を呈し、第一芯保持部１２ａ１の後端から筒状体１１の後端部にわたる範囲に形成されている。そして、この第二芯保持部１２ａ２は、その平坦な内面を部分的に芯に摺接させることで、前記第一芯保持部１２ａ１よりも弱い摩擦力で芯に摺接する。尚、本実施の形態の好ましい一例によれば、この第二芯保持部１２ａ２は、断面正方形状に形成されている（図５参照）。
【００２８】
また、この第二芯保持部１２ａ２は、その後端部をチャック２１に近接するように配置することで、チャック２１から繰出された芯を直ちに保持するように構成されている。
【００２９】
付勢手段１２ｂは、弾性変形後の復元の際に、先口３０内との摺接抵抗が大きくなるように大径に形成された大径部１２ｂ１と、先口３０内との摺接抵抗が比較的小さくなるように小径に形成された小径部１２ｂ２とからなる。
これら大径部１２ｂ１と小径部１２ｂ２の配置は、特に限定されるものではないが、本実施の形態の好ましい一例であるシャープペンシルＡでは、前部側に大径部１２ｂ１を、後部側に小径部１２ｂ２を配置している。
【００３０】
そして、上記構成のスライダー１０は、先口３０内の段部３１へ付勢手段１２ｂの前端部を当接させており、該付勢手段１２ｂにより後方へ付勢される（図２参照）。
【００３１】
すなわち、このスライダー１０は、チャック２１が前進した際に、該チャック２１の前端面に押されることで、付勢手段１２ｂを弾性変形させながら前方へスライドする。尚、この際の付勢手段１２ｂの弾性変形量は、筒状体１１の突縁部１１ａの前方側部位の方が、その後方側部位よりも大きい。
そして、同スライダー１０は、チャック２１が後退した後に、弾性変形した付勢手段１２ｂの復元力により後方へスライドし、その際、付勢手段１２ｂの外周面を先口３０内に摺接させることで、チャック２１の後退よりも遅れて後方へスライドする。
【００３２】
前記スライダー１０を後方へスライドさせるタイミングは、付勢手段１２ｂの大径部１２ｂ１と小径部１２ｂ２との軸方向長さの比率によって、好適なタイミングとなるように調整されている。
すなわち、スライダー１０を後方へスライドさせるタイミングを早めるためには、大径部１２ｂ１の軸方向長さを比較的短くするとともに小径部１２ｂ２の軸方向長さを比較的長くすることで、付勢手段１２ｂ外周面と先口３０内との摺接抵抗を小さくすればよい。また、スライダー１０を後方へスライドさせるタイミングを遅らせるためには、大径部１２ｂ１の軸方向長さを比較的大きくするとともに小径部１２ｂ２の軸方向長さを比較的短くすることで、付勢手段１２ｂ外周面と先口３０内との摺接抵抗を大きくすればよい。
【００３３】
尚、スライダー１０を後方へスライドさせる際のスライド幅Ｗは、弾性変形される付勢手段１２ｂの変形量を設定することにより、チャック２１が後退する際に該チャック２１内で若干後退する芯の後退幅と略同寸法になるようにしている。
【００３４】
而して、上記構成のシャープペンシルＡによれば、スライダー１０内に残芯１がある場合、その残芯１は、チャック２１が前進する際に、該残芯１の後端面が後続芯２の前端面に当接されて、前方へ繰出される（図２（ａ）に示す状態）。
そして、チャック２１が後退すると、後続芯２が、後退するチャック２１に再度挟持されることで、若干量（図示における寸法Ｗの幅）後退する（図２（ｂ）に示す状態）。
【００３５】
そして、スライダー１０が、付勢手段１２ｂに付勢されることで後方へスライドする。その際、スライダー１０は、付勢手段１２ｂの大径部１２ｂ１と小径部１２ｂ２との双方の外周面と先口３０内との摺接抵抗により、チャック２１の後退動作よりも僅かに遅れて後方へスライドする（図２（ｃ）に示す状態）。
【００３６】
したがって、芯保持部１２ａに保持されている残芯１が、上記スライダー１０の後方へのスライドに伴って、図示における寸法Ｗだけ後退するので、残芯１と後続芯２との隙間が無くなる。
よって、筆記時においては、残芯１と後続芯２との間の隙間だけ残芯１が後退するといった現象を発生することがない。
【００３７】
次に、スライダーの他の態様について、図６乃至１１に基づいて説明する。
尚、これらの芯保持部材１０Ａ，１０Ｂ，１０Ｃ，１０Ｄ，１０Ｅは、上述したスライダー１０を部分的に変更したものであるため、上記スライダー１０と同様の作用を有する部位については、同一符号を付けることで重複する詳細説明を省略する。
【００３８】
図６に示すスライダー１０Ａは、付勢手段１２ｂを後端側の大径部１２ｂ１と前端側の小径部１２ｂ２とで構成し、該小径部１２ｂ２の周壁に凹状の空間部ｃを設けている。
このスライダー１０Ａによれば、空間部ｃによって、小径部１２ｂ２外周と先口３０との摺接抵抗、及び付勢手段１２ｂの弾発力を適宜に調整することができる。
【００３９】
また、図７に示すスライダー１０Ｂは、付勢手段１２ｂを後端側の大径部１２ｂ１と前端側の小径部１２ｂ２とで構成し、小径部１２ｂ２の前端面に、凸部１２ｂ’を周方向へ所定間隔に複数設け、更に、小径部１２ｂ２における大径部１２ｂ１側に凹部ｃを設けている。
このスライダー１０Ｂによれば、複数の凸部１２ｂ’と空間部ｃによって、小径部１２ｂ２外周と先口３０との摺接抵抗、及び付勢手段１２ｂの弾発力を適宜に調整することができる。
【００４０】
また、図８及び９に示すスライダー１０Ｃは、筒状体１１内の前端側に、上記スライダー１０と同様に内径を芯の外径よりも若干小さく形成した環状の第一芯保持部１２ａ１を形成し、更に、その第一芯保持部１２ａ１の後方側に、弾性部１２の後端側にわたって連続する突条を周方向へ複数設けることで、第一進保持部１２ａ１よりも芯に対する摩擦力が弱い第二芯保持部１２ａ２を形成している。
このスライダー１０Ｃによれば、前記複数の突条が残芯の回転方向に対して交差することになるため、回転しようとする残芯に対する摩擦抵抗を大きくすることができる。
【００４１】
また、図１０に示すスライダー１０Ｄは、断面鋸刃状に形成した第一芯保持部１２ａ１及び第二芯保持部１２ａ２により、芯の繰出方向の保持力を芯の後退方向の保持力よりも小さくしたものである。尚、第二芯保持部１２ａ２は、第一芯保持部１２ａ１よりも弱い摩擦力で芯に摺接するように、鋸刃状山部１４の軸方向の数を第一芯保持部１２ａ１よりも少なくしてある。
【００４２】
このスライダー１０Ｄによれば、芯を繰出す際に、保持力が高すぎることによって芯の繰出し動作に支承をきたすことがない上、筆記の際には、筆圧に対抗して芯が強く保持されるため、残芯が押し戻されたり軸回りに回転したりするのを防止できる。
【００４３】
また、図１１に示すスライダー１０Ｅは、上述したスライダー１０がインサート成形によって筒状体１１に弾性部１２を一体に形成しているのに対し、各々別体の筒状体１１’と弾性部１２’とを組付けるようにしたものである。その組付け性を良好にするために、上述した筒状体１１における後端の突縁部１１ａを省いた構成となっている。
【００４４】
【発明の効果】
本発明は、以上説明したように構成されているので、以下に記載されるような効果を奏する。
第一の発明によれば、チャックの後退後に残芯の後端面が後続芯の前端面に当接するため、筆記時において残芯が後続芯との間に生ずる隙間により後退してしまう現象を回避でき、残芯によって筆記した際の筆記感触を向上することができる。
よって、わざわざ残芯を引き抜いて後続芯を繰出すという従来技術における操作上の煩わしさを解消でき、ひいては、残芯を有効に使用することで、廃棄される残芯を少なくすることができる。
その上、付勢手段をスライダーと一体の部品として扱うことができるため、部品管理がし易い上、組立性を向上することができる。
更に、第二の発明によれば、スライダーの後退に伴って後方へ移動する芯の移動量を必要最小限にすることができる。
しかも、第三の発明によれば、筒状体と一体的に構成される弾性部に付勢手段と芯保持部とを具備しているため、更に部品管理がし易い上、より組立性を向上することができる。
更に、第四の発明によれば、インサート成形によって成形後の組付け工程が不要になるため、スライダーの生産性を向上でき、その上、芯保持部と筒状体との密着性が良いため、芯保持部が筒状体から抜け落ちたりすることがなく、部品管理や組立工程における扱いが一層容易になる。
その上、第五の発明によれば、第二芯保持部が第一芯保持部も弱い摩擦力で芯に摺接するため、チャックから繰り出される芯を筆記先端部へスムーズに導くことができ、その上、筆記の際には第一芯保持部によって芯の前端側が強く保持されるため、残芯による筆記感触を一層向上することができる。
しかも、第六の発明によれば、平坦な内面を芯に摺接させるようにすることで、第二芯保持部の摩擦力を第一芯保持部の摩擦力よりも容易かつ確実に弱くすることができる。
更に、第七の発明によれば、突条が残芯の回転方向に対して交差するように複数設けられることになるため、回転しようとする残芯に対する摩擦抵抗を大きくでき、筆記時に残芯が軸回りに回転するのをより確実に防止することができる。
更に、第八の発明によれば、芯を繰出す際に、芯保持部の保持力が高すぎることによって芯の繰出し動作に支承をきたすことがない上、筆記の際には、筆圧に対抗して芯が強く保持されるため、残芯が押し戻されたり軸回りに回転したりすることで筆記感触を損ねてしまうのを確実に防止することができる。
【図面の簡単な説明】
【図１】  本発明に係わるシャープペンシルの一例を示す要部縦断面図である。
【図２】  図１の要部拡大図であり、（ａ）はチャックを前進させた状態、（ｂ）はチャックを後退させた際に後続芯が後退した状態、（ｃ）はスライダーが残芯とともに後方へスライドした状態を示す。
【図３】  スライダーの一例を示す斜視図。
【図４】  図３における（ＩＶ）−（ＩＶ）線断面図。
【図５】  図４における（Ｖ）−（Ｖ）線端面図。
【図６】  スライダーの他例を示す斜視図。
【図７】  スライダーの他例を示す斜視図。
【図８】  スライダーの他例を示す縦断面図。
【図９】  図８における（IX）−（IX）線端面図。
【図１０】  スライダーの他例を示す縦断面図。
【図１１】  スライダーの他例を示す分解縦断面図。
【図１２】  従来のシャープペンシルを示す要部断面図であり、（ａ）はチャックを前進させた状態、（ｂ）はチャックを後退させた状態、（ｃ）は残芯に筆圧をかけた状態を示す。
【符号の説明】
１０：スライダー            １１：筒状体
１２：弾性部                １２ａ：芯保持部
１２ａ１：第一芯保持部      １２ａ２：第二芯保持部
１２ｂ：付勢手段            ２１：チャック
Ａ：シャープペンシル
Ｗ：スライド幅
【図１】
0004642281.tif 000002
【図２】
0004642281.tif 000003
【図３】
0004642281.tif 000004
【図４】
0004642281.tif 000005
【図５】
0004642281.tif 000006
【図６】
0004642281.tif 000007
【図７】
0004642281.tif 000008
【図８】
0004642281.tif 000009
【図９】
0004642281.tif 000010
【図１０】
0004642281.tif 000011
【図１１】
0004642281.tif 000012
【図１２】
0004642281.tif 000013